(57)【要約】【課題】簡素な構成で、受電コイルへの電力供給を適切に停止できる技術を提供する。【解決手段】給電装置１０において、給電コイル２０は、負荷に接続される受電コイルに隔壁体を介してワイヤレスで電力供給する。給電部２６は、給電コイル２０に電力供給する。制御部３０は、給電コイル２０の電力が予め定められたしきい値以下の場合、給電部２６に電力供給を停止させる。【選択図】図２
2020039223.tif 000002
【特許請求の範囲】
【請求項１】
負荷に接続される受電コイルに隔壁体を介してワイヤレスで電力供給する給電コイルと、
前記給電コイルに電力供給する給電部と、
前記給電コイルの電力が予め定められたしきい値以下の場合、前記給電部に電力供給を停止させる制御部と、
を備えることを特徴とする給電装置。
【請求項２】
前記負荷は蓄電池であり、
前記制御部は、前記給電部に電力供給を停止させてから予め定められた待機時間が経過した場合、前記給電部に電力供給を再開させることを特徴とする請求項１に記載の給電装置。
【請求項３】
前記負荷は蓄電池であり、
前記給電装置は、時間帯と対応付けて待機時間を記憶する記憶部をさらに備え、
前記制御部は、前記給電部に電力供給を停止させた時刻に対応する待機時間を前記記憶部から取得し、前記給電部に電力供給を停止させてから、取得した待機時間が経過した場合、前記給電部に電力供給を再開させることを特徴とする請求項１に記載の給電装置。
【請求項４】
前記制御部は、前記給電部に電力供給を再開させてから前記給電コイルの電力が前記しきい値以下になるまでの給電時間にもとづいて、前記待機時間を設定することを特徴とする請求項２に記載の給電装置。
【請求項５】
前記制御部は、前記給電時間が予め定められた基準時間以下であることが複数回繰り返された場合、前記待機時間をそれまでより長く変更することを特徴とする請求項４に記載の給電装置。
【請求項６】
前記制御部は、前記給電時間が前記基準時間より長く、当該給電時間内の前記給電コイルの電流の積分値が予め定められた上限値より大きい場合、前記待機時間をそれまでより短く変更することを特徴とする請求項５に記載の給電装置。
【請求項７】
負荷に接続される受電コイルに隔壁体を介してワイヤレスで電力供給する給電コイルと、前記給電コイルに電力供給する給電部と、を備える給電装置における制御装置であって、
前記給電コイルの電力が予め定められたしきい値以下の場合、前記給電部に電力供給を停止させることを特徴とする制御装置。
【発明の詳細な説明】
【技術分野】
【０００１】
本発明は、建物の壁などの隔壁体に設置されるワイヤレス給電用の給電装置および制御装置に関する。
【背景技術】
【０００２】
送電装置から複数の受電装置に非接触で電力供給する非接触給電システムが知られている（たとえば、特許文献１参照）。送電装置は、複数の送電ユニットを含む。受電装置は、いずれかの送電ユニットから電力を受電し、受電した電力でバッテリを充電する。
【０００３】
バッテリが満充電になった受電装置に対して送電を続けると、漏れ磁界が大きくなる、受電側電圧が必要以上に高くなる、受電側が発熱するなどの問題が生じる恐れがある。そこで、受電装置の通信装置は、バッテリが満充電になった場合、受電中の送電ユニットを識別するための情報を送電停止信号に含めて、送電装置の通信装置に送信する。送電装置は、受信した送電停止信号にもとづいて、該当する送電ユニットの送電を停止する。
【先行技術文献】
【特許文献】
【０００４】
【特許文献１】特開２０１７−５１０７４号公報
【発明の概要】
【発明が解決しようとする課題】
【０００５】
特許文献１の非接触給電システムでは、送電停止信号を無線通信する通信装置が必要であるため、構成が複雑になる傾向がある。
【０００６】
本発明はこのような課題に鑑みてなされ、その目的は、簡素な構成で、受電コイルへの電力供給を適切に停止できる給電装置および制御装置を提供することにある。
【課題を解決するための手段】
【０００７】
上記課題を解決するために、本発明のある態様の給電装置は、負荷に接続される受電コイルに隔壁体を介してワイヤレスで電力供給する給電コイルと、給電コイルに電力供給する給電部と、給電コイルの電力が予め定められたしきい値以下の場合、給電部に電力供給を停止させる制御部と、を備える。
【０００８】
この態様によると、受電コイルから負荷に供給される電流が減少し、受電コイルに流れる電流が減少したことで、給電コイルの電力もしきい値以下に減少した場合、受電コイルへの電力供給を停止できる。受電コイルの電流に関する情報を受信する通信装置を給電装置に設ける必要がないので、給電装置の構成を簡素化できる。
【０００９】
本発明の別の態様は、制御装置である。この装置は、負荷に接続される受電コイルに隔壁体を介してワイヤレスで電力供給する給電コイルと、給電コイルに電力供給する給電部と、を備える給電装置における制御装置であって、給電コイルの電力が予め定められたしきい値以下の場合、給電部に電力供給を停止させる。
【発明の効果】
【００１０】
本発明によれば、簡素な構成で、受電コイルへの電力供給を適切に停止できる。
【図面の簡単な説明】
【００１１】
【図１】第１の実施の形態に係る電動シャッター装置の概略的な構成を示す斜視図である。
【図２】図１の給電装置の構成を示す図である。
【図３】図１の設備駆動部の構成を示す図である。
【図４】図２の制御部の処理を示すフローチャートである。
【図５】第３の実施の形態に係る制御部の処理を示すフローチャートである。
【図６】変形例に係るトイレ装置の概略的な構成を示す図である。
【発明を実施するための形態】
【００１２】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１３】
（第１の実施の形態）
図１は、第１の実施の形態に係る電動シャッター装置１の概略的な構成を示す。電動シャッター装置１は、給電装置１０と、シャッターボックス１２と、シャッターカーテン１４とを備える。
【００１４】
電動シャッター装置１は、たとえばリフォーム時に建物９０に後付けされる設備装置である。電動シャッター装置１は、たとえばガラス窓９２等の建物９０の開口部付近に設けられ、ガラス窓９２の室外側をシャッターカーテン１４にて閉鎖または開放可能である。電動シャッター装置１は、ユーザからの操作指令に基づいてシャッターカーテン１４を開動作または閉動作させる。
【００１５】
給電装置１０は、建物９０の隔壁体９４の室内側に設けられる。給電装置１０は、制御ユニット１６と、給電ユニット１８とを備える。
【００１６】
制御ユニット１６は、コンセントから電源プラグを介して供給された電力にもとづいて、給電ユニット１８に電力を供給する。
【００１７】
給電ユニット１８は、給電コイル２０と、キャパシタ（図示しない）と、固定板２２とを備える。給電コイル２０とキャパシタは、直列接続されて共振回路を構成する。キャパシタは、浮遊容量でもよいし、回路素子でもよい。
【００１８】
給電コイル２０とキャパシタは、固定板２２に固定され、その固定板２２により、ガラス窓９２の上部にある隔壁体９４の室内側に取り付けられる。
【００１９】
給電コイル２０は、制御ユニット１６から供給された電力を、建物９０の室外側に設けられたシャッターボックス１２内の受電コイル２４に隔壁体９４を介してワイヤレスで伝送する。給電コイル２０と受電コイル２４が磁界共鳴することにより電力が伝送される。
【００２０】
図２は、図１の給電装置１０の構成を示す。制御ユニット１６は、給電部２６と、電流検出部２８と、制御部３０と、記憶部３２とを備える。
【００２１】
給電部２６は、給電ユニット１８の給電コイル２０とキャパシタ３４に電力供給する。給電部２６は、所定の周波数の交流電圧を生成して、給電コイル２０とキャパシタ３４に出力する。この周波数は、磁界共鳴方式により給電コイル２０から受電コイル２４に電力を伝送可能な周波数、たとえば給電コイル２０とキャパシタ３４の共振周波数に設定される。給電部２６は、所定の振幅になるよう交流電圧を制御する。
【００２２】
電流検出部２８は、給電部２６と給電コイル２０との間の電流経路に配置され、給電コイル２０に流れる電流を検出する。制御部３０は、電流検出部２８で検出された電流にもとづいて、給電部２６による電力供給を制御する。制御部３０の詳細な機能は後述する。記憶部３２は、制御部３０による制御に必要な情報を記憶している。
【００２３】
図１に戻る。シャッターボックス１２は、室外側において、ガラス窓９２の上部にある隔壁体９４に取り付けられる。シャッターボックス１２は、受電ユニット３６、シールド部材３８、シャフト４０、設備駆動部４２を備える。
【００２４】
受電ユニット３６は、受電コイル２４と、キャパシタ（図示しない）と、固定板４４とを備える。受電コイル２４とキャパシタは、直列接続されて共振回路を構成する。キャパシタは、浮遊容量でもよいし、回路素子でもよい。
【００２５】
受電コイル２４とキャパシタは、固定板４４に固定され、その固定板４４により、ガラス窓９２の上部にある隔壁体９４の室外側に取り付けられる。
【００２６】
受電コイル２４は、給電コイル２０からワイヤレスで電力を受電する。受電コイル２４が受電した電力は、設備駆動部４２に供給され、シャッターカーテン１４を駆動する電力として使用される。
【００２７】
シールド部材３８は、受電ユニット３６の室外側に配置され、設備駆動部４２などへの磁界の漏洩を抑制する。シールド部材３８は、たとえばフェライトシートである。
【００２８】
設備駆動部４２は、受電コイル２４が受電した電力を用いて設備部材であるシャッターカーテン１４を駆動する。
【００２９】
シャフト４０は、シャッターカーテン１４の上端部と設備駆動部４２とに連結され、シャッターカーテン１４を巻き取る。シャフト４０は、設備駆動部４２によって正逆方向に回転駆動される。シャフト４０の回転に応じて、シャッターカーテン１４の閉動作時にシャッターカーテン１４の巻き出しが行われ、シャッターカーテン１４の開動作時に巻き取りが行われる。シャフト４０に巻き取られたシャッターカーテン１４は、シャッターボックス１２内に収容される。
【００３０】
図３は、図１の設備駆動部４２の構成を示す。設備駆動部４２は、整流平滑部４６と、蓄電池４８と、制御部５０と、モータ５２とを備える。
【００３１】
整流平滑部４６は、受電ユニット３６の受電コイル２４とキャパシタ５４に接続され、受電コイル２４で受電された交流電力を整流および平滑して、得られた直流電力を負荷である蓄電池４８に供給する。受電コイル２４とキャパシタ５４の共振周波数は、給電コイル２０とキャパシタ３４の共振周波数とほぼ等しい。受電ユニット３６と整流平滑部４６は、受電装置５６を構成する。給電装置１０と受電装置５６は、ワイヤレス給電システムを構成する。
【００３２】
蓄電池４８は、整流平滑部４６から供給された電力を蓄電する。蓄電池４８に蓄電された電力は、設備駆動部４２の各部に供給される。蓄電池４８は、シャッターカーテン１４を全開させる動作、または、全閉させる動作を少なくとも１回実行可能な電力量を蓄電できる。
【００３３】
制御部５０は、ユーザによる操作指令に応じてモータ５２の駆動を制御する。制御部５０は、リモートコントローラ（図示しない）から無線で送信される操作指令を取得してもよいし、制御部５０に配線で接続された操作部（図示しない）から操作指令を取得してもよい。
【００３４】
モータ５２は、蓄電池４８に蓄積された電力を駆動源として、シャフト４０を回転駆動させる駆動部である。モータ５２は、制御部５０からの駆動信号に基づいて正回転、逆回転または回転停止する。
【００３５】
次に、給電装置１０の制御部３０の機能を詳細に説明する。制御部３０は、給電部２６に電力供給させた状態で、給電コイル２０に流れる電流が予め定められたしきい値より大きい場合、給電部２６に電力供給を継続させる。制御部３０は、給電コイル２０に流れる電流がしきい値以下の場合、給電部２６に電力供給を停止させる。これは、制御部３０が、給電コイル２０の電力が予め定められたしきい値以下の場合、給電部２６に電力供給を停止させることに相当する。
【００３６】
蓄電池４８が満充電に近づくと、受電コイル２４から蓄電池４８に供給される電流、すなわち受電コイル２４に流れる電流が減少する。そのため、給電コイル２０から受電コイル２４へ伝送される電力も減少し、給電コイル２０の電力および電流も減少する。しきい値は、実験などにより適宜定めることができる。このようにして、蓄電池４８がほぼ満充電になった場合、給電部２６は電力供給を停止する。
【００３７】
制御部３０は、給電部２６に電力供給を停止させてから予め定められた待機時間が経過した場合、給電部２６に電力供給を再開させる。待機時間は、記憶部３２に記憶されている。待機時間は、ユーザが変更できてもよい。待機時間中にシャッターカーテン１４の開閉動作が行われて蓄電池４８の残量が減少しても、ユーザの操作を必要とせずに電力供給および蓄電池４８の充電を自動的に再開できる。
【００３８】
制御部３０は、待機時間が経過するまでにユーザの操作部の操作による給電再開指令を受けた場合、電力供給を再開させる。待機時間中にシャッターカーテン１４の開閉動作が複数回行われたことなどにより、蓄電池４８の残量が次の開閉動作に対して不足した場合にも、待機時間の経過を待たずに蓄電池４８の充電を開始できる。この場合、制御部３０は、給電部２６に電力供給を停止させてから給電再開指令が供給されるまでの時間を、新たな待機時間として設定してもよい。
【００３９】
制御部３０，４８の構成は、ハードウェア資源とソフトウェア資源の協働、またはハードウェア資源のみにより実現できる。ハードウェア資源としてアナログ素子、マイクロコンピュータ、ＤＳＰ、ＲＯＭ、ＲＡＭ、ＦＰＧＡ、その他のＬＳＩを利用できる。ソフトウェア資源としてファームウェア等のプログラムを利用できる。
【００４０】
図４は、図２の制御部３０の処理を示すフローチャートである。制御部３０は、給電部２６に給電を開始させ（Ｓ１０）、給電コイル２０の電流がしきい値以下でなければ（Ｓ１２のＮ）、給電部２６に給電を継続させ（Ｓ１４）、ステップＳ１２に戻る。給電コイル２０の電流がしきい値以下であれば（Ｓ１２のＹ）、制御部３０は給電部２６に給電を停止させ（Ｓ１６）、待機時間が経過していなければ（Ｓ１８のＮ）、ステップＳ１８に戻る。待機時間が経過した場合（Ｓ１８のＹ）、ステップＳ１０に戻る。
【００４１】
本実施の形態によれば、蓄電池４８が満充電に近づき、受電コイル２４の電流が減少したことで、給電コイル２０の電流もしきい値以下に減少した場合、給電装置１０の電力供給を停止できる。制御部３０は、比較などの簡単な処理を実行できればよいので、安価なマイコンなどで容易に構成できる。蓄電池４８が満充電になったことを通信する通信装置を給電装置１０と受電装置５６に設ける必要がないので、給電装置１０と受電装置５６の構成を簡素化でき、それらを小型化および低コスト化できる。よって、簡素な構成で、受電コイル２４への電力供給を適切に停止できる。
【００４２】
また、電力供給の停止後、待機時間の経過により電力供給を再開させるので、待機時間に蓄電池４８の電力が消費された場合にも、ユーザの操作を必要とせずに自動的に蓄電池４８を再充電できる。
【００４３】
なお、図示は省略するが、建物９０の複数のガラス窓９２に複数の電動シャッター装置１が設けられた場合、第１の電動シャッター装置が設けられた第１の隔壁体と、第２の電動シャッター装置が設けられた第２の隔壁体とが、別の種類である状況が想定されうる。実施の形態とは異なり電力供給の停止のために無線通信を用いる場合、たとえば、第１の隔壁体が電磁波を透過させ難い場合、第１の電動シャッター装置の第１の受電装置が満充電時に送信する給電停止用の無線信号の強度を、第１の電動シャッター装置の第１の給電装置が受信できる程度に強くする必要がある。しかし、第２の隔壁体が第１の隔壁体より電磁波を透過させやすい場合、第１の受電装置が送信した強度の高い無線信号は、第２の隔壁体も透過して第２の電動シャッター装置の第２の給電装置でも受信され、第２の給電装置も電力供給を停止する可能性がある。
【００４４】
これに対して本実施の形態では、既述のように電力供給の停止のために無線通信を用いないので、１つの建物９０に複数の電動シャッター装置１が設けられた場合にも、無線通信用の無線信号の混信により、給電を続けるべき給電装置１０の電力供給を誤って停止させる恐れがない。
【００４５】
（第２の実施の形態）
第２の実施の形態では、時間帯毎に待機時間が設定されていることが第１の実施の形態と異なる。以下では、第１の実施の形態との相違点を中心に説明する。
【００４６】
給電装置１０の記憶部３２は、時間帯と対応付けて待機時間を記憶する。制御部３０は、給電部２６に電力供給を停止させた時刻に対応する待機時間を記憶部３２から取得し、給電部２６に電力供給を停止させてから、取得した待機時間が経過した場合、給電部２６に電力供給を再開させる。
【００４７】
ユーザは、生活パターンに合わせて時間帯毎の待機時間を設定する。たとえば、シャッターカーテン１４の開閉動作が行われやすい朝夕の時間帯の待機時間は、シャッターカーテン１４の開閉動作が行われにくい昼間や深夜の時間帯の待機時間より短く設定される。昼間に建物９０内にだれもいない場合、シャッターカーテン１４は、朝、起床後に開けられ、防犯効果を高めるために外出前に閉められ、夕方、帰宅すると開けられ、就寝前に閉められることが想定される。
【００４８】
この場合、たとえば６時から９時の時間帯の待機時間は３０分であり、９時から１７時の時間帯の待機時間は８時間であり、１７時から２１時の時間帯の待機時間は３０分であり、２１時から６時の時間帯の待機時間は９時間であってもよい。
【００４９】
本実施の形態によれば、１日の各時間帯での蓄電池の電力の使用可能性に合わせて、適切なタイミングで自動的に蓄電池を充電できる。朝夕などのシャッターカーテン１４が開閉される確率が高い時間帯では、待機時間を短く設定することにより、電力供給を停止後、複数回の開閉動作によって蓄電池４８の残量が減少しすぎる前に給電を再開する可能性を高めることができる。よって、蓄電池４８の過放電を起こりにくくでき、蓄電池４８の寿命を延ばしやすくなる。また、蓄電池４８の残量が不足してシャッターカーテン１４を開閉できない状況を起こりにくくできる。
【００５０】
一方、昼間や深夜などのシャッターカーテン１４が開閉される確率が低い時間帯では、待機時間を長く設定することにより、蓄電池４８の電力が十分に消費されていない状態での充電、すなわち継ぎ足し充電を抑制できる。よって、蓄電池４８のメモリー効果を抑制しやすくなる。充電回数を減らすこともできる。
【００５１】
（第３の実施の形態）
第３の実施の形態では、給電コイル２０に電力を供給している給電時間にもとづいて次の待機時間を設定することが、第１の実施の形態と異なる。以下では、第１の実施の形態との相違点を中心に説明する。
【００５２】
給電装置１０の制御部３０は、給電部２６に電力供給を再開させてから給電コイル２０の電流がしきい値以下になるまでの給電時間にもとづいて、待機時間を設定する。具体的には制御部３０は、給電時間が予め定められた基準時間以下であることが複数回繰り返された場合、待機時間をそれまでより長く変更する。たとえば制御部３０は、それまでの待機時間に一定時間を加算する。待機時間は、予め定められた最長時間を超えないように制限されてもよい。基準時間は、蓄電池４８の電力が十分に消費されていない状態での充電を検知できる時間であり、たとえば数十秒から数分の間に設定されてもよい。基準時間は、実験などにより適宜定めることができる。
【００５３】
これにより、シャッターカーテン１４が開閉動作せず蓄電池４８の電力が殆ど消費されない状況が続くと、待機時間が長くなる。
【００５４】
制御部３０は、給電時間が基準時間より長い場合、当該給電時間内の給電コイル２０の電流にもとづいて待機時間を設定する。制御部３０は、給電時間内の給電コイル２０の電流の積分値を導出し、導出した積分値が予め定められた上限値より大きい場合、待機時間をそれまでより短く設定する。制御部３０は、それまでの待機時間から一定時間を減算してもよいし、待機時間を予め定められた最短時間に設定してもよい。上限値は、蓄電池４８が過放電していたことを検知可能な値であり、実験などにより適宜設定できる。
【００５５】
これにより、シャッターカーテン１４が開閉動作して蓄電池４８の電力が消費されると、待機時間が短くなる可能性がある。たとえば２時間の待機時間の間に開閉動作が複数回行われ、蓄電池４８の残量がほぼ０になった状態で電力供給が再開された場合、待機時間がたとえば１時間に短くなる。この例では、充電終了後に同じ頻度で開閉動作しても、待機時間が経過した１時間後に蓄電池４８の残量を確保しやすくなる。
【００５６】
また、たとえば２時間の待機時間の間に開閉動作が１回行われ、蓄電池４８の残量が５０％程度である状態で電力供給が再開された場合、待機時間はたとえば２時間に維持される。
【００５７】
図５は、第３の実施の形態に係る制御部３０の処理を示すフローチャートである。制御部３０は、Ｎ＝０に設定し（Ｓ３０）、給電部２６に給電を開始させ（Ｓ３２）、給電コイル２０の電流がしきい値以下でなければ（Ｓ３４のＮ）、給電部２６に給電を継続させる（Ｓ３６）、ステップＳ３４に戻る。
【００５８】
給電コイル２０の電流がしきい値以下であれば（Ｓ３４のＹ）、制御部３０は、給電部２６に給電を停止させ（Ｓ３８）、給電時間が基準時間以下であれば（Ｓ４０のＹ）、Ｎに１を加算し（Ｓ４２）、Ｎが所定回数と等しくなければ（Ｓ４４のＮ）、ステップＳ４８に移る。所定回数は、実験などにより適宜定めることができる。Ｎが所定回数と等しければ（Ｓ４４のＹ）、制御部３０は待機時間を長く変更し、Ｎ＝０に設定し（Ｓ４６）、ステップＳ４８に移る。
【００５９】
待機時間が経過していない場合（Ｓ４８のＮ）、ステップＳ４８に戻る。待機時間が経過した場合（Ｓ４８のＹ）、ステップＳ３２に戻る。
【００６０】
ステップＳ４０にて給電時間が基準時間以下でない場合（Ｓ４０のＮ）、給電時間内の電流の積分値が上限値より大きくなければ（Ｓ５０のＮ）、ステップＳ４８に移る。積分値が上限値より大きければ（Ｓ５０のＹ）、制御部３０は待機時間を短く変更し（Ｓ５２）、ステップＳ４８に移る。
【００６１】
本実施の形態によれば、給電時間にもとづいて待機時間を設定するので、蓄電池４８の電力の使用状況に合わせて待機時間を調整できる。基準時間以下の給電時間で蓄電池４８が満充電に近くなることが繰り返されると、待機時間を長く変更し、次回の電力供給の再開を遅くできるので、蓄電池４８の電力が十分に消費されていない状態での充電の回数を減らしやすくなる。よって、蓄電池４８のメモリー効果を抑制しやすくなる。
【００６２】
給電時間が基準時間より長く、蓄電池４８が過放電していた可能性があれば、待機時間を短く変更し、蓄電池４８が過放電する前に電力供給を再開しやすくなる。よって、蓄電池４８の寿命を延ばしやすくなる。また、待機時間中に蓄電池４８の残量が不足してシャッターカーテン１４を開閉できない状況を起こりにくくできる。
【００６３】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００６４】
第２の実施の形態において、記憶部３２は、曜日毎に時間帯と対応付けて待機時間を記憶してもよい。この場合、制御部３０は、給電部２６に電力供給を停止させた曜日および時刻に対応する待機時間を記憶部３２から取得する。この変形例では、ユーザの利便性をより向上できる。
【００６５】
第３の実施の形態において、１日の待機時間のパターンが複数日にわたり繰り返された場合、給電装置１０の制御部３０は、１日の待機時間のパターンを記憶部３２に記憶させて、以降は、記憶された待機時間のパターンにしたがって制御してもよい。この変形例では、記憶された待機時間のパターンで制御する場合に制御部３０での処理を削減できるので、制御部３０の消費電力を低減できる。
【００６６】
実施の形態では、設備部材がシャッターカーテン１４である例について説明したが、設備部材は、たとえば電動カーテン、オーニング、日よけ用のルーバ等でもよい。
【００６７】
実施の形態では、設備装置が電動シャッター装置１である例について説明したが、設備装置はトイレ装置でもよい。図６は、変形例に係るトイレ装置２の概略的な構成を示す。
【００６８】
トイレ装置２は、建物９０における隔壁体９６で区画されたトイレ室内に設けられる。隔壁体９６は、室内の内壁である。トイレ装置２は、給電装置１０と、受電ユニット３６と、便器７０と、便座７２と、便蓋７４と、機能部７６とを備える。
【００６９】
給電装置１０は、第１、第２または第３の実施の形態の給電装置１０である。給電装置１０の給電コイル２０は、受電ユニット３６の受電コイル２４に隔壁体９６を介してワイヤレスで電力を伝送する。これによりコンセントがないトイレ室にも電力供給できる。受電コイル２４が受電した電力は、機能部７６に供給される。
【００７０】
便器７０は、洋式便器である。便座７２は、便器７０の前側に取り付けられ、使用者が腰掛ける座面となる部分である。便座７２の内部には、便座７２を加温するヒータが設けられる。便蓋７４は、便器７０の開口を覆う蓋であり、便器７０の後部上面に載置された機能部７６に回動可能に軸支される。
【００７１】
機能部７６は、受電コイル２４が受電した電力を蓄電池に蓄電し、蓄電された電力を用いて、シャワートイレ（登録商標）のお尻洗浄、便座７２の加温、便座７２の開閉動作、便蓋７４の開閉動作等の各種機能を実行する。図示しないが、機能部７６は、実施の形態の設備駆動部４２の構成に加え、これらの各種機能を実行するための構成を備える。
【００７２】
この変形例によれば、トイレ装置２に関しても第１、第２または第３の実施の形態の効果を得ることができる。
【００７３】
以上の実施形態、変形例により具体化される発明を一般化すると、以下の技術的思想が導かれる。
【００７４】
前述の課題を解決するための手段に記載の態様の給電装置において、
前記負荷は蓄電池であり、
前記制御部は、前記給電部に電力供給を停止させてから予め定められた待機時間が経過した場合、前記給電部に電力供給を再開させてもよい。
この態様によれば、ユーザの操作を必要とせずに自動的に蓄電池を再充電できる。
【００７５】
前述の態様の給電装置において、
前記負荷は蓄電池であり、
前記給電装置は、時間帯と対応付けて待機時間を記憶する記憶部をさらに備え、
前記制御部は、前記給電部に電力供給を停止させた時刻に対応する待機時間を前記記憶部から取得し、前記給電部に電力供給を停止させてから、取得した待機時間が経過した場合、前記給電部に電力供給を再開させてもよい。
この態様によれば、各時間帯での蓄電池の電力の使用可能性に合わせて、適切なタイミングで蓄電池を充電できる。
【００７６】
前述の態様の給電装置において、前記制御部は、前記給電部に電力供給を再開させてから前記給電コイルの電力が前記しきい値以下になるまでの給電時間にもとづいて、前記待機時間を設定してもよい。
この態様によれば、蓄電池の電力の使用状況に合わせて待機時間を調整できる。
【００７７】
前述の態様の給電装置において、前記制御部は、前記給電時間が予め定められた基準時間以下であることが複数回繰り返された場合、前記待機時間をそれまでより長く変更してもよい。
この態様によれば、蓄電池の電力が十分に消費されていない状態での充電の回数を減らしやすくなる。よって、蓄電池のメモリー効果を抑制しやすくなる。
【００７８】
前述の態様の給電装置において、前記制御部は、前記給電時間が前記基準時間より長く、当該給電時間内の前記給電コイルの電流の積分値が予め定められた上限値より大きい場合、前記待機時間をそれまでより短く変更してもよい。
この態様によれば、蓄電池が過放電していた可能性があれば、待機時間を短く変更して、蓄電池が過放電する前に電力供給を再開しやすくなる。よって、蓄電池の寿命を延ばしやすくなる。
【符号の説明】
【００７９】
１０…給電装置、２０…給電コイル、２４…受電コイル、２６…給電部、３０…制御部、３２…記憶部、４８…蓄電池、５０…制御部、９４，９６…隔壁体。
【図１】
2020039223.tif 000003
【図２】
2020039223.tif 000004
【図３】
2020039223.tif 000005
【図４】
2020039223.tif 000006
【図５】
2020039223.tif 000007
【図６】
2020039223.tif 000008